【手続補正書】
【提出日】平成18年7月13日(2006.7.13)
【手続補正１】
【補正対象書類名】特許請求の範囲
【補正対象項目名】全文
【補正方法】変更
【補正の内容】
【特許請求の範囲】
【請求項１】
Ｘ線を方向付けるための光学デバイスであって、
Ｘ線源及びＸ線標的が半径Ｒの少なくとも１つのローランド円及びＸ線源／標的線を形成するように位置決めされた複数の湾曲光学結晶を備え、該湾曲光学結晶の各々が少なくとも１つの格子面を有し、
前記Ｘ線を前記Ｘ線源から前記Ｘ線標的に集束させ、
前記複数の湾曲光学結晶が、前記ローランド円の平面において前記半径Ｒとは異なる半径を有し、
さらに前記湾曲光学結晶の第１結晶の表面に対して該第１結晶の前記少なくとも１つの格子面が成す角度は、前記少なくとも１個の第２結晶の表面に対して該第２結晶の前記少なくとも１つの格子面が成す角度と異なることを特徴とする光学デバイス。
【請求項２】
前記複数の湾曲光学結晶は、前記ローランド円の平面において約２Ｒの半径を有することを特徴とする請求項１に記載の光学デバイス。
【請求項３】
前記複数の湾曲光学結晶の少なくとも１個は、前記Ｘ線が指し向けられる表面を備え、前記複数の湾曲光学結晶の少なくとも１個は、ブラッグ角θＢを有し、かつ前記複数の湾曲光学結晶の前記少なくとも１個の結晶の前記表面と角γを成して配向された１組の原子回折面を備え、さらに前記Ｘ線源から前記複数の湾曲光学結晶の前記少なくとも１個の結晶の前記表面上の点に引かれた線が、前記Ｘ線源／標的線と角θＢ＋γを成すことを特徴とする請求項２に記載の光学デバイス。
【請求項４】
前記Ｘ線源から前記複数の湾曲光学結晶の前記少なくとも１個の結晶の前記表面上の点に引かれた線は、前記Ｘ線源から前記複数の湾曲光学結晶の前記少なくとも１個の結晶の前記表面の中点に引いた線を有することを特徴とする請求項３に記載の光学デバイス。
【請求項５】
前記Ｘ線源から前記複数の湾曲光学結晶の前記少なくとも１個の結晶の前記表面上の点に引かれた線は、前記Ｘ線源から、前記複数の湾曲光学結晶の前記少なくとも１個の結晶の前記表面と前記複数の湾曲光学結晶の前記少なくとも１個の結晶の前記ローランド円との正接点付近に引いた線を有することを特徴とする請求項３に記載の光学デバイス。
【請求項６】
前記湾曲光学結晶の少なくとも１個は、二重湾曲結晶であることを特徴とする請求項１に記載の光学デバイス。
【請求項７】
前記湾曲光学結晶の少なくとも１個は、円環二重湾曲結晶であることを特徴とする請求項６に記載の光学デバイス。
【請求項８】
前記Ｘ線源と組み合わされていることを特徴とする請求項１に記載の光学デバイス。
【請求項９】
前記Ｘ線源／標的線回りに少なくとも約９０度の円環角を有することを特徴とする請求項１に記載の光学デバイス。
【請求項１０】
前記Ｘ線源／標的線回りに少なくとも約１８０度の円環角を有することを特徴とする請求項９に記載の光学デバイス。
【請求項１１】
前記Ｘ線源／標的線回りに少なくとも約２７０度の円環角を有することを特徴とする請求項１０に記載の光学デバイス。
【請求項１２】
前記Ｘ線源／標的線回りに約３６０度の円環角を有することを特徴とする請求項１１に記載の光学デバイス。
【請求項１３】
前記第１結晶の前記表面に対して該第１結晶の前記格子面が成す角度は、約０度であることを特徴とする請求項１に記載の光学デバイス。
【請求項１４】
前記少なくとも１個の第２結晶の前記表面に対して該第２結晶の前記少なくとも１つの格子面が成す角度は、前記第１結晶の前記表面に対して該第１結晶の前記少なくとも１つの格子面が成す角度よりも少なくとも約５度大きいことを特徴とする請求項１に記載の光学デバイス。
【請求項１５】
前記Ｘ線源から前記第１湾曲結晶の表面の中心に向けられた線と、前記Ｘ線源から前記少なくとも１個の第２結晶の表面の中心に向けられた線とが、角γを形成することを特徴とする請求項１に記載の光学デバイス。
【請求項１６】
前記少なくとも１個の第２結晶の前記表面に対して該第２結晶の前記少なくとも１つの格子面が成す角度は、ほぼ角γであることを特徴とする請求項１５に記載の光学デバイス。
【請求項１７】
前記角γは、約マイナス１５度と約プラス１５度の間の角度を有することを特徴とする請求項１に記載の光学デバイス。
【請求項１８】
Ｘ線を方向付けるための方法であって、
マトリックスで配置された複数の湾曲光学結晶を備え、該湾曲光学結晶の各々が少なくとも１つの格子面を有し、前記マトリックスがＸ線源及びＸ線標的によって少なくとも１つの半径Ｒのローランド円を形成するように位置決め可能であり、さらに前記マトリックスは複数の列を有し、それぞれの列が前記複数の湾曲光学結晶から成る多光学結晶を備え、前記複数の湾曲光学結晶が、前記ローランド円の平面において前記半径Ｒとは異なる半径を有する光学デバイスを提供するステップと、
前記Ｘ線源からの少なくとも一部のＸ線が前記Ｘ線標的に指し向けられるように前記光学デバイスを位置決めするステップとを有し、
さらに前記湾曲光学結晶の第１結晶の表面に対して該第１結晶の前記少なくとも１つの格子面が成す角度は、前記少なくとも１個の第２結晶の表面に対して該第２結晶の前記少なくとも１つの格子面が成す角度と異なることを特徴とする方法。
【請求項１９】
前記複数の湾曲光学結晶は、前記ローランド円の平面において約２Ｒの半径を有することを特徴とする請求項１８に記載の方法。
【請求項２０】
前記光学デバイスを位置決めするステップは、前記Ｘ線源によって発せられた少なくとも一部のＸ線が前記光学デバイスの前記湾曲光学結晶の少なくともいくつかに入射し、その際に前記Ｘ線の少なくとも一部が回折されるように、前記光学デバイスを位置決めするステップを有することを特徴とする請求項１８に記載の方法。
【請求項２１】
Ｘ線を方向付けるためのデバイスであって、第１湾曲結晶と、該第１湾曲結晶から離間された少なくとも１個の第２湾曲結晶とを備え、前記第１及び少なくとも１個の第２湾曲結晶は、それぞれが少なくとも１つの格子面を有し、前記第１湾曲結晶及び前記少なくとも１個の第２湾曲結晶は、Ｘ線源及びＸ線標的によって少なくとも１つの半径Ｒのローランド円を形成するように位置決め可能であり、その際に前記第１湾曲結晶及び前記少なくとも１個の第２湾曲結晶に入射する少なくとも一部のＸ線が前記標的に指し向けられ、さらに前記第１湾曲結晶の表面に対して該第１湾曲結晶の前記少なくとも１つの格子面が成す角度は、前記少なくとも１個の第２湾曲結晶の表面に対して該第２湾曲結晶の前記少なくとも１つの格子面が成す角度とは異なることを特徴とするデバイス。
【請求項２２】
前記第１湾曲結晶の前記表面に対して該第１湾曲結晶の前記格子面が成す角度は、約０度であることを特徴とする請求項２１に記載のデバイス。
【請求項２３】
前記少なくとも１個の第２湾曲結晶の前記表面に対して該第２湾曲結晶の前記少なくとも１つの格子面が成す角度は、前記第１湾曲結晶の前記表面に対して該第１湾曲結晶の前記少なくとも１つの格子面が成す角度よりも少なくとも約５度大きいことを特徴とする請求項２１に記載のデバイス。
【請求項２４】
前記Ｘ線源から前記第１湾曲結晶の表面の中心に向けられた線と、前記Ｘ線源から前記少なくとも１個の第２湾曲結晶の表面の中心に向けられた線とが、角γを形成することを特徴とする請求項２１に記載のデバイス。
【請求項２５】
前記少なくとも１個の第２湾曲結晶の前記表面に対して該第２湾曲結晶の前記少なくとも１つの格子面が成す角度は、ほぼ角γであることを特徴とする請求項２４に記載のデバイス。
【請求項２６】
前記角γは、約マイナス１５度と約プラス１５度の間であることを特徴とする請求項２５に記載のデバイス。
【請求項２７】
前記第１湾曲結晶及び前記少なくとも１個の第２湾曲結晶は、第１組の複数の結晶を有し、前記Ｘ線源及び前記Ｘ線標的によって前記ローランド円を形成するように同様に位置決めされる少なくとも１つの第２組の複数の結晶をさらに備え、その際に、前記少なくとも１つの第２組の複数の結晶に入射する少なくとも一部のＸ線が、前記第１組の複数の結晶と共通の前記Ｘ線標的に指し向けられ、さらに前記第２組の複数の結晶は、前記第１組の複数の結晶の前記ローランド円の平面に対して直交する方向に、前記第１組の複数の結晶から離間されていることを特徴とする請求項２１に記載のデバイス。
【手続補正２】
【補正対象書類名】図面
【補正対象項目名】図２
【補正方法】変更
【補正の内容】
【図２】
2005534921.tif 000001